(57)【要約】【課題】互いに情報を送受信する際に、一方に電力が不要な無線通信機能を利用して、記憶媒体自体が主制御部から取り外されたことを確実に認識し、迅速に報知する。【解決手段】不正に交換される可能性があるＲＯＭ５８のモールド５８Ａに予め無線タグ８６を埋設しておき、主制御回路５４の基板８２に装填される位置の近傍にＲＦＩＤ装置８８を設置し、無線タグ８６が反応（電波を受信し識別情報を送信）する相対位置関係を維持する。これにより、ＲＯＭ５８が不正に取り外され、電波の届く領域外となると、ＲＦＩＤ装置８８は異常信号を出力し、この異常信号に基づいて警報等の報知を行うことで、不正行為の迅速に認識することができる。【選択図】図３
2007175309.tif 000002
【特許請求の範囲】
【請求項１】
主として遊技の進行を司る主制御部と、前記主制御部による遊技の進行に伴って様々な演出、並びに主制御部からの指示に基づいて遊技媒体を払い出す副制御部と、を備えた遊技機の制御装置であって、
前記主制御部に対して着脱可能とされ、少なくとも遊技の進行プログラムが記憶される記憶媒体を含む集積回路部材と、
前記集積回路部材に設けられ、予め識別情報が記憶された識別情報記憶部、及び所定の周波数の電波の受信によって、前記識別情報記憶部に記憶された識別情報を発信する送受信部を備えた無線タグと、
前記主制御部への装着状態で前記送受信部の受信領域内に固定配置され、前記所定の周波数の電波を発信する発信部、及び前記識別情報を受信する受信部を備えたＲＦＩＤ装置と、
前記ＲＦＩＤ装置の受信部によって受信した識別情報と予め登録した識別情報とを照合する照合手段と、
前記照合手段による照合の結果を報知する報知手段と、
を有する遊技機の制御装置。
【請求項２】
前記無線タグが、前記集積回路部材の回路を被覆するモールドに埋め込まれていることを特徴とする請求項１記載の遊技機の制御装置。
【発明の詳細な説明】
【技術分野】
【０００１】
本発明は、パチンコ機やパチスロ機等に適用され、主として遊技の進行を司る主制御部と、前記主制御部による遊技の進行に伴って様々な演出、並びに主制御部からの指示に基づいて遊技媒体を払い出す副制御部と、を備えた遊技機の制御装置に関するものである。
【背景技術】
【０００２】
パチンコ機やパチスロ機等の遊技機に搭載される制御装置は、当該遊技の進行に伴う抽選や、その抽選の当選確率、並びにパチンコ球やメダル等の遊技媒体の配当の指示等、重要な制御を実行する主制御部（主制御基板）と、前記遊技の進行に応じた演出を行ったり、前記遊技媒体の配当の指示に基づいて遊技媒体を払い出したりする複数の副制御部（副制御基板）と、を備えている。
【０００３】
副制御基板は、演出を司る演出制御基板、遊技媒体の払い出しを司る払出制御基板、液晶表示装置等大容量の画像データを処理する図柄表示制御基板等の複数に分割されている場合もある。
【０００４】
ところで、パチンコ機にしても、パチスロ機にしても、その遊技機の種類が同一であれば、主制御基板は、その回路構成のほとんどが、共通化されている。このほとんどが共通とされた回路の一部には、記憶媒体（ＲＯＭ）或いはＲＯＭを含むＩＣチップを着脱可能とするソケットが設けられている。ＲＯＭ（以下、「ＲＯＭ」という場合は、単独の記憶媒体の場合と、ＩＣチップに組み込まれたＲＯＭとを含む）には、それぞれの遊技仕様に基づく遊技プログラム等が記憶されており、このＲＯＭやＩＣチップを交換することで、全く遊技仕様の異なる遊技機とすることができる。なお、ＩＣチップは、基板（エポキシ基板）を生成する際に予め組み込まれている構造のものもあるが、このような場合、基板自体が交換される。
【０００５】
特に、抽選の時期や、抽選の当選確率は、このＲＯＭによって決まるため、ＲＯＭやＩＣチップ）が不正に交換されたりしないよう、従来から、封印シールを貼り付け、記憶媒体（ＲＯＭ）が取り外されたことが視覚通じてすぐにわかるようにしている。
【０００６】
また、主制御基板全体を合成樹脂製のボックスで被覆し、溶接あるいは螺子等で強固に固定する構造をとっている。
【０００７】
これにより、ＲＯＭやＩＣチップは、不正に交換されたりしても、一目瞭然となり、安全性が確保されてきた。
【発明の開示】
【発明が解決しようとする課題】
【０００８】
しかしながら、交換された後に発見するまでに時間がかかると、その期間は、不正のＲＯＭに記憶された遊技プログラムの下で遊技が進行することになり、好ましくない。すなわち、封印シールそのものを偽造したり、ボックスを開放した後、開放前に修復することで、所謂「見破られるまでの時間を稼ぐような工夫がなされる場合がある。
【０００９】
本発明は上記事実を考慮し、互いに情報を送受信する際に、一方に電力が不要な無線通信機能を利用して、集積回路部材自体が主制御部から取り外されたことを確実に認識し、迅速に報知することができる遊技機の制御装置を得ることが目的である。
【課題を解決するための手段】
【００１０】
本発明は、主として遊技の進行を司る主制御部と、前記主制御部による遊技の進行に伴って様々な演出、並びに主制御部からの指示に基づいて遊技媒体を払い出す副制御部と、を備えた遊技機の制御装置であって、前記主制御部に対して着脱可能とされ、少なくとも遊技の進行プログラムが記憶される記憶媒体を含む集積回路部材と、前記集積回路部材に設けられ、予め識別情報が記憶された識別情報記憶部、及び所定の周波数の電波の受信によって、前記識別情報記憶部に記憶された識別情報を発信する送受信部を備えた無線タグと、前記主制御部への装着状態で前記送受信部の受信領域内に固定配置され、前記所定の周波数の電波を発信する発信部、及び前記識別情報を受信する受信部を備えたＲＦＩＤ装置と、前記ＲＦＩＤ装置の受信部によって受信した識別情報と予め登録した識別情報とを照合する照合手段と、前記照合手段による照合の結果を報知する報知手段と、を有している。
【００１１】
本発明によれば、ＲＦＩＤ装置を主制御部側に設置し、無線タグを集積回路部材に取り付ける。
【００１２】
ＲＦＩＤ装置からは、所定の周波数の電波を発信しておき、この発信到達領域内に集積回路部材、すなわち無線タグが存在する場合には、送受信部においてこの電波を受信し、無線タグの識別情報記憶部に記憶された識別情報を送信する。
【００１３】
ＲＦＩＤ装置が識別情報を受信すると、照合部では、予め登録しておいた識別情報と照合し、その照合結果を報知する。
【００１４】
例えば、照合の結果が不一致の場合には、ランプを点灯したり、ブザーを鳴らす等、警告を発してもよいし、ホールコンピュータへ異常ありの情報を送信するようにしてもよい。
【００１５】
また、本発明において、前記無線タグが、前記集積回路部材の回路を被覆するモールドに埋め込まれていることを特徴としている。
【００１６】
不正に交換された集積回路部材に、無線タグの付け替えが不可能なように、予め記憶媒体の記憶回路を被覆するモールドに無線タグを埋め込んでおくことで、外観的には無線タグの存在が不明であり、かりにわかっても、埋設した無線タグを取り出すことができず、識別情報を読み取られるような心配がない。
【発明の効果】
【００１７】
以上説明した如く本発明では、互いに情報を送受信する際に、一方に電力が不要な無線通信機能を利用して、集積回路部材が主制御部から取り外されたことを確実に認識し、迅速に報知することができるという優れた効果を有する。
【発明を実施するための最良の形態】
【００１８】
（全体構成）
図１には、遊技機の１つであるパチスロ機１０の構成が示されている。
【００１９】
パチスロ機１０は、本体１２と、本体１２の正面に設けられた開閉カバーとしての操作兼装飾部１４とを備えて構成されている。
【００２０】
操作兼装飾部１４は、上から装飾部１６、操作部１８、払出部２０とに分類することができる。
【００２１】
装飾部１６の表示パネル部２２は、演出用の動画像を表示するための液晶表示装置２４と、回胴表示図柄を表示するための表示窓２６とを備えている。
【００２２】
この表示窓２６の内部には、３個の回胴リール２８Ａ、２８Ｂ、２８Ｃが配設されている。
【００２３】
操作部１８は、その上部が手前に突き出ており、この突き出し部分の上面の右端部にはメダル投入部３０が設けられ、また、上面左端部からは順にクレジットの払い戻しをする際に押下操作される精算ボタン３２、１枚ベット（投入）ボタン３４、マックスベット（最大投入）ボタン３６が設けられている。また、突き出し部分の前面左端部からは、順に始動レバー３８、停止ボタン４０Ａ、４０Ｂ、４０Ｃ等が設けられている。
【００２４】
払出部２０は、メダル排出口４２と、このメダル排出口４２から排出されるメダルを受取る受け皿４４とを備えている。
【００２５】
３個のリール２８Ａ、２８Ｂ、２８Ｃは、回転することで図柄が順次前記表示窓２６から見えるようになり、回転を停止した場合に表示窓２６から見える図柄のうち、有効ライン上に停止した図柄の組み合わせが遊技の結果を示す。
【００２６】
前記停止ボタン４０Ａ、４０Ｂ、４０Ｃは、各リール２８Ａ、２８Ｂ、２８Ｃに対応している。すなわち、対応するそれぞれのリール２８Ａ、２８Ｂ、２８Ｃの回転を遊技者による停止ボタン４０Ａ、４０Ｂ、４０Ｃの操作で停止させることができる。
【００２７】
また、この停止ボタン４０Ａ、４０Ｂ、４０Ｃの左側に設けられた始動レバー３８を操作（傾倒）することで、各リール２８Ａ、２８Ｂ、２８Ｃが回転を開始するようになっている。なお、この回転は、通常は３個のリール２８Ａ、２８Ｂ、２８Ｃが同時に回転を開始するようになっている。
【００２８】
さらに、この始動レバー３８による操作タイミングは、後述する内部抽選のタイミングとなっており、当該始動レバー３８の操作によって、当たり（役当選）／外れが決定するようになっている。
【００２９】
（遊技仕様／制御系）
図２には、上記パチスロ機１０の動作を制御するための制御ブロック図が概略的に示されている。
【００３０】
パチスロ機１０の制御系は、主制御部５０を中心に構成されており、この主制御部５０には、メダルセレクタ５２が接続されると共に、始動レバー３８、停止ボタン４１０Ａ、４０Ｂ、４０Ｃ、ＭＡＸベットボタン３６、１枚ベットボタン３４、精算ボタン３２が、それぞれ操作状態を検出する不図示のセンサ等を介して接続されている。
【００３１】
また、主制御部５０は、ＣＰＵを含んで構成される主制御回路５４を備えており、主制御回路５４には、主として遊技の進行状況等を一時的に記憶するＲＡＭ５６と、各種プログラム等が記憶されたＲＯＭ５８と、が接続されている。
【００３２】
パチスロ機１０では、始動レバー３８による操作タイミングで大役、小役等の当選／落選を決定する内部抽選が主制御部５０により行われるようになっており、主制御回路５４では、始動レバー３８が操作されると、乱数を取得し、取得した乱数に応じて抽選結果を導出する。
【００３３】
なお、内部抽選が当たり（役当選）の場合は、その後の停止ボタン４０Ａ、４０Ｂ、４０Ｃによる停止操作により当たり図柄が揃うと、遊技者は各図柄に応じた数のメダルを獲得できるほか、揃った図柄に応じて遊技者に有利な遊技状態となる。
【００３４】
ここで、役には小役と大役とがある。このうち、大役には、ビッグボーナス（以下、適宜「ＢＢ」という）及びレギュラーボーナス（以下、適宜「ＲＢ」という）があり、それぞれに対応する遊技においては遊技者に対する有利さの度合いが異なる。
【００３５】
また、主制御部５０には、モータ駆動回路６０が接続されており、当該モータ駆動回路６０には、左（Ｌ）、中（Ｃ）、右（Ｒ）用の各リールモータ６２Ａ、６２Ｂ、６２Ｃを介してそれぞれ左、中、右の各リール２８Ａ、２８Ｂ、２８Ｃが接続されている。
【００３６】
さらに、主制御部５０には、３個のリール２８Ａ、２８Ｂ、２８Ｃの回転位置を検出するためのリール位置検出回路６４が接続されており、主制御部５０では、各リール２８Ａ、２８Ｂ、２８Ｃの位置を常時把握することができるようになっている。
【００３７】
ここで、主制御部５０では、上記停止ボタン４０Ａ、４０Ｂ、４０Ｃによる停止操作に基づいてリール２８Ａ、２８Ｂ、２８Ｃの回転を停止させる際、内部抽選の結果に応じて、所定コマ数の滑り制御を実行するようになっている。
【００３８】
すなわち、内部抽選が外れのとき、当りの場合のみ停止する図柄が有効ライン上に停止する停止タイミングで停止ボタン４０Ａ、４０Ｂ、４０Ｃが操作された場合、意図的にこの図柄での停止を回避するため、停止位置をずらし（蹴飛ばし）、外れ図柄配列で停止するように制御する。
【００３９】
また、内部抽選が当りのとき、遊技者が操作した停止タイミングでは当り図柄が停止しない場合でも、所定図柄数内であれば、意図的にこの当たり図柄が有効ライン上に揃って停止するように停止位置をずらす（引き込み）制御を行う。
【００４０】
また、主制御部５０には、パチスロ機１０の内部に設けられたホッパー６６を作動させるためのホッパー駆動回路６８が接続されている。ホッパー６６にはメダルが貯留されており、主制御部５０では、リール位置検出回路６４からの出力により特定された停止図柄に応じて、ホッパー駆動回路６８を介したホッパー６６からのメダルの払い出しが実行される。
【００４１】
一方、主制御部５０には、副制御部７０が接続されており、主制御部５０は副制御部７０に対して、随時制御状態を示すコマンド信号を入力する。
【００４２】
副制御部７０には、液晶制御回路７２が接続されており、液晶制御回路７２では、演出のために設けられた液晶表示装置（ＬＣＤ）２４の表示状態を制御する。
【００４３】
また、副制御部７０には、ランプ駆動回路７４が接続されており、当該ランプ駆動回路７４を介してランプ７６等の点灯を制御する。
【００４４】
さらに、副制御部７０には、スピーカ駆動回路７８が接続され、スピーカ８０からの音声（効果音）出力を制御する。
【００４５】
副制御部７０では、主制御部５０のパチスロ機１０の制御状態に応じて、液晶表示装置２４、スピーカ８０及びランプ７６等による報知演出を実行する。
【００４６】
ここで、主制御部５０のＲＯＭ５８は、遊技仕様プログラムが記憶されており、遊技の進行上、需要な情報が記憶されている。言い換えれば、このＲＯＭ５８以外の電子部品は共通で、ＲＯＭ５８を交換することで別の仕様の遊技機にすることができる。
【００４７】
このため、図３に示される如く、ＲＯＭ５８は、直接主制御部５０の主制御回路５４を構成する基板８２に取り付けられておらず、ソケット８４を介して着脱可能に取り付けられている。
【００４８】
これにより、ＲＯＭ５８を交換することで、主制御部５０のほとんどを後継の遊技機に転用することが可能となる。
【００４９】
ここで、本実施の形態のＲＯＭ５８には、そのモールド（集積回路を覆う被覆部材）５８Ａに無線タグ８６が埋め込まれている。この無線タグ８６には、予め識別情報が記憶された記憶部８６Ａと所定の周波数の電波を受信すると共に、受信後に識別情報を送信するためのアンテナ部８６Ｂが設けられている。
【００５０】
一方、主制御回路５４の基板８２には、ＲＦＩＤ装置８８が取り付けられている。このＲＦＩＤ装置８８は、図示しない送信部と受信部と設けられ、送信部は、所定の周波数の電波をアンテナ８８Ａを介して所定の領域に発信する。
【００５１】
この所定の領域内に前記所定の周波数の電波によって起動する前記無線タグ８６が存在することで、無線タグ８６からは、前記識別情報に関する電波が送信される。ＲＦＩＤ装置８８では、これをアンテナ８８Ａを介して受信部で受信する構成となっている。
【００５２】
ＲＦＩＤ装置８８では、受信した識別情報を予め登録した識別情報と比較照合し、不一致の場合には、例えば、パチスロ機１０の副制御部７０に異常信号を送出する。
【００５３】
これにより、副制御部７０では、液晶制御回路７２、ランプ駆動回路７４、スピーカ駆動回路７８を制御して、液晶表示装置２４上に異常であることを表示したり、ランプ７６を点灯又は点滅させたり、スピーカ８０から警告音を出力したりすることで、ＲＯＭ５８が主制御回路５４の基板８２から離れたことを報知する。
【００５４】
以下に本実施の形態の作用を説明する。
【００５５】
まず、新規にＲＯＭ５８を装着するときに、ＲＯＭ５８のモールド５８Ａに予め埋め込まれている無線タグ８６に記憶されている識別情報を読み取る。これは、例えば、製造工場内の専用の読取装置でのみ読取可能とすることが好ましい。
【００５６】
読み取った識別情報は、主制御部５０を構成する主制御回路５４の基板８２に取り付けられたＲＦＩＤ装置８８のメモリに記憶する。
【００５７】
上記初期設定後に出荷され、電源が投入されると、ＲＦＩＤ装置８８が起動して、所定の周波数の電波を常時送信する。
【００５８】
ＲＦＩＤ装置８８と、ＲＯＭ５８との相対位置は、予め上記電波の到達範囲内としているため、正常な相対位置関係にあれば、ＲＯＭ５８のモールド５８Ａに埋め込まれた無線タグ８６がこれを受信し、無電力で起動して記憶部８６Ａに記憶されている識別情報を送信する。
【００５９】
ＲＦＩＤ装置８８では、この識別情報信号を受信して、予め記憶した識別情報を照合することで、ＲＯＭ５８が不正に交換されることなく、存在していることを認識できる。
【００６０】
一方、この識別情報信号が到達しない、あるいは、到達した識別情報が予め記憶した識別情報と一致しない場合には、何らかの不正が行われていると予測されるため、ＲＦＩＤ装置８８から異常信号を主制御回路５４に送出する。
【００６１】
この異常信号を受けた主制御回路５４は、副制御部７０を制御して、液晶表示装置２４に異常である旨を表示したり、ランプ７６を点灯又は点滅したり、スピーカ８０から異常を知らせる音を発したりする。
【００６２】
これにより、ＲＯＭ５８の異常を迅速に認識することができ、例えば、不正に交換されたＲＯＭ５８の下での遊技の進行を防止することができる。
【００６３】
上記の監視制御の流れを、ＲＦＩＤ装置８８の制御として、図４のフローチャートに示す。
【００６４】
ステップ１００では、ＲＦＩＤ装置から所定の周波数の電波を発信する。次いでステップ１０２で、識別情報を受信したか否かを判断する。このステップ１０２で否定判定された場合には、ステップ１０４へ移行して所定時間経過したか否かが判断され、否定判定の場合は、ステップ１０２へ戻る。また、ステップ１０４で肯定判定、すなわち、所定時間経過した場合には、ＲＯＭ５８が所定の位置に存在しない（取り外された）と判断し、ステップ１０６へ移行して異常信号を出力する。
【００６５】
また、前記ステップ１０２で肯定判定、すなわち識別情報を受信したと判断されると、ステップ１０２からステップ１０８へ移行して、予め記憶した識別情報を読出し、次いでステップ１１０でこれらを照合する。
【００６６】
次のステップ１１２において照合の結果が一致したか否かが判断され、不一致と判定された場合には、ＲＯＭ５８が不正に交換されたと判断し、ステップ１０６へ移行して異常信号を送出する。
【００６７】
また、ステップ１１２で一致と判定された場合には、正常であると判断し、ステップ１００へ戻る。
【００６８】
以上説明したように本実施の形態では、不正に交換される可能性があるＲＯＭ５８のモールド５８Ａに予め無線タグ８６を埋設しておき、主制御回路５４の基板８２に装填される位置の近傍にＲＦＩＤ装置８８を設置し、無線タグ８６が反応（電波を受信し識別情報を送信）する相対位置関係を維持する。これにより、ＲＯＭ５８が不正に取り外され、電波の届く領域外となると、ＲＦＩＤ装置８８は異常信号を出力し、この異常信号に基づいて警報等の報知を行うことで、不正行為の迅速に認識することができる。
【００６９】
なお、本実施の形態では、パチスロ機１０内での異常の報知を行ったが、異常信号をホールコンピュータへ送信してもよい。また、不正なＲＯＭ５８の交換は深夜に実行されることが多いため、ホールコンピュータから、さらに管理者の携帯電話や警備会社等に自動的に発信するようにしてもよい。
【００７０】
なお、上記実施の形態では、集積回路部材としてＲＯＭ５８が基板８２に対してソケット８４を介して着脱可能に取り付けられている構造を例にとり説明したが、図５に示される如く、ＲＯＭ、すなわち記憶回路が含まれた薄板状（カード）状のＩＣチップ１５０が予めエポキシ基板１５２に埋め込まれている構造であっても、本発明は適用可能である。
【００７１】
すなわち、図５に示される如く、エポキシ基板１５２の所定の位置に、ＩＣチップ１５０が埋め込まれている。ＩＣチップ１５０は、薄肉板状（カード状）に構成されており、前記ＲＯＭ５８としての機能（すなわち、記憶媒体としての機能）を含む集積回路部材である。
【００７２】
このＩＣチップ１５０をエポキシ基板１５２の前記所定の位置に埋め込むことで、エポキシ基板１５２とＩＣチップ１５０とは一体化され、ＩＣチップ１５０のみの着脱は困難となる。
【００７３】
このような構造において、エポキシ基板１５２の何れかの位置（言い換えれば、ＩＣチップ１５０が埋め込まれた位置とは異なる位置）に無線タグ８６を埋め込む。エポキシ基板１５２に無線タグ８６を埋め込むのは、前記ＩＣチップ１５０を埋め込むのと同様、簡単に行うことができる。
【００７４】
一方、無線タグ８６か識別情報を受けて照合するＲＦＩＤ装置８８は、前記エポキシ基板１５２を取り囲み、不正な接触防止、或いは塵埃の付着防止のために設けられた箱状の透明ケース１５４の蓋又はベースに取り付ける。
【００７５】
上記構成により、ＩＣチップ１５０がエポキシ基板１５２に埋め込まれ、不正にエポキシ基板１５２毎交換されることがあっても、透明ケース１５４と無線タグ８６との交信によって、不正を迅速に検知することができる。
【図面の簡単な説明】
【００７６】
【図１】本実施の形態に係るパチスロ機の斜視図である。
【図２】本実施の形態に係るパチスロ機の動作制御ブロック図である。
【図３】主制御回路におけるＲＯＭ及びＲＦＩＤ装置の取付位置周辺の斜視図である。
【図４】ＲＦＩＤ装置における監視制御ルーチンを示すフローチャートである。
【図５】変形例に係るＩＣチップ及びＲＦＩＤ装置の取付位置を示す主制御回路の側面断面図である。
【符号の説明】
【００７７】
１０    パチスロ機（遊技機）
１２    本体
１４    操作兼装飾部
１６    装飾部
１８    操作部
２０    払出部
２２    表示パネル部
２４    液晶表示装置（報知手段）
２６    表示窓
２８Ａ、２８Ｂ、２８Ｃ    リール
３０    メダル投入部
３２    精算ボタン
３４    １枚ベット（投入）ボタン
３６    マックスベット（最大投入）ボタン
３８    始動レバー
４０Ａ、４０Ｂ、４０Ｃ    停止ボタン
４２    メダル排出口
４４    受け皿
５０    主制御部
５２    メダルセレクタ
５４    主制御回路
５６    ＲＡＭ
５８    ＲＯＭ（集積回路部材）
６０    モータ駆動回路
６２Ａ、６２Ｂ、６２Ｃ    リールモータ
６４    リール位置検出回路
６６    ホッパー
６８    ホッパー駆動回路
７０    副制御部
７２    液晶制御回路
７４    ランプ駆動回路
７６    ランプ（報知手段）
７８    スピーカ駆動回路
８０    スピーカ（報知手段）
８２    基板
８４  ソケット
５８Ａ    モールド
８６    無線タグ
８６Ａ    記憶部
８６Ｂ    アンテナ部
８８    ＲＦＩＤ装置
８８Ａ    アンテナ
１５０    ＩＣチップ（集積回路部材）
１５２    エポキシ基板
１５４    透明ケース
【図１】
2007175309.tif 000003
【図２】
2007175309.tif 000004
【図３】
2007175309.tif 000005
【図４】
2007175309.tif 000006
【図５】
2007175309.tif 000007